(57)【要約】【課題】サーバにネットワーク接続しなくとも、上記表示端末と上記携帯端末間において上記コンテンツの視聴状況を表す視聴情報を共有できるコンテンツ再生システムを提供することにある。【解決手段】コンテンツ再生システム１は、コンテンツを再生する携帯端末２と、携帯端末２と互いに通信する表示端末３とを備えるコンテンツ再生システム１であり、携帯端末２は、表示端末３に上記コンテンツの情報を送信するコンテンツ情報送信手段を備えており、表示端末３は、上記コンテンツの情報を受信するコンテンツ情報受信手段と、上記コンテンツの情報に基づいて、上記コンテンツを取得するコンテンツ取得手段と、上記コンテンツの視聴状況を表す視聴情報を携帯端末２に送信する視聴情報送信手段と、を備えている。【選択図】図１
2010226521.tif 000002
【特許請求の範囲】
【請求項１】
コンテンツを再生する携帯端末と、上記携帯端末と互いに通信する表示端末とを備えるコンテンツ再生システムにおいて、
上記携帯端末は、
上記表示端末に上記コンテンツの情報を送信するコンテンツ情報送信手段を備えており、
上記表示端末は、
上記コンテンツの情報を受信するコンテンツ情報受信手段と、
上記コンテンツの情報に基づいて、上記コンテンツを取得するコンテンツ取得手段と、
上記コンテンツの視聴状況を表す視聴情報を上記携帯端末に送信する視聴情報送信手段とを備えているコンテンツ再生システム。
【請求項２】
上記携帯端末は、
上記視聴情報を受信する視聴情報受信手段と、
上記視聴情報によって表される上記視聴状況を表示する視聴状況表示手段とをさらに備えていることを特徴とする請求項１に記載のコンテンツ再生システム。
【請求項３】
上記視聴情報は、上記コンテンツが視聴済であるか、未視聴であるか、または一部視聴済みであるかの何れかの視聴状況を表すことを特徴とする請求項１または２に記載のコンテンツ再生システム。
【請求項４】
上記視聴情報は、該視聴情報に対応する上記コンテンツが上記表示端末において再生されたか否かの情報をさらに含んでいることを特徴とする請求項３に記載のコンテンツ再生システム。
【請求項５】
上記コンテンツ情報送信手段は、上記携帯端末において未再生または再生途中の複数のコンテンツの情報を、表示端末に送信し、
上記表示端末は、
上記複数のコンテンツの情報を表示するコンテンツ情報表示手段と、
上記表示された複数のコンテンツの情報から、ユーザによる選択を受け付ける選択手段とをさらに備え、
上記コンテンツ取得手段は、上記選択されたコンテンツの情報に対応する上記コンテンツを取得することを特徴とする請求項１から４の何れか１項に記載のコンテンツ再生システム。
【請求項６】
上記携帯端末を複数備えており、上記表示端末は、上記携帯端末各々に上記コンテンツの視聴状況を表す共通の視聴情報を送信することを特徴とする請求項１から５の何れか１項に記載のコンテンツ再生システム。
【請求項７】
コンテンツを再生する携帯端末と、上記携帯端末と互いに通信する表示端末とを備えるコンテンツ再生システムにおけるコンテンツ再生方法であって、
上記携帯端末が、上記表示端末に上記コンテンツの情報を送信するステップと、
上記表示端末が、上記コンテンツの情報を受信するステップと、
上記表示端末が、上記コンテンツの情報に基づいて、上記コンテンツを取得するステップと、
上記表示端末が、上記コンテンツの視聴状況を表す視聴情報を上記携帯端末に送信するステップとを含んでいることを特徴とするコンテンツ再生方法。
【請求項８】
請求項１から６のいずれか１項に記載のコンテンツ再生システムを動作させるプログラムであって、コンピュータを上記の各手段として機能させるためのプログラム。
【請求項９】
請求項８に記載のプログラムを記録しているコンピュータ読み取り可能な記録媒体。
【発明の詳細な説明】
【技術分野】
【０００１】
本発明は、複数の端末間においてコンテンツの情報を共有するコンテンツ再生システムに関するものである。
【背景技術】
【０００２】
近年、インターネット環境が普及しており、また、マルチメディアコンテンツを再生可能な携帯端末が増加している。これにより、様々なコンテンツを多種多様な端末において再生することが可能になっている。
【０００３】
このような端末を利用した動画配信サービスにおいては、複数の端末間における情報の共有が一般的な課題となっている。例えば、配信サーバ側がアカウントを管理することによって、配信サーバ側に管理されている共有情報を、どのパーソナルコンピュータ（ＰＣ）からログインしても取得できる技術が一般的になっている。
【０００４】
また、特許文献１には、携帯情報端末から同期要求をネットワークを介してサーバ装置に送信することによって、複数の携帯情報端末でブックマーク情報を共有する技術が開示されている。
【０００５】
また、特許文献２には、登録されたＵＲＬ情報を共有するにあたり、ＵＲＬ情報のリンク切れ／変更の有無を判断し、利用することができなくなったＵＲＬ情報を排除する技術が開示されている。
【０００６】
また、特許文献３には、携帯端末がユーザＩＤに対応するコンテンツＩＤリストを取得し、据置型端末に送信することによって、携帯端末において検索したブックマークリストを、据置型端末の側から参照する技術が開示されている。
【０００７】
また、非特許文献１のように、サーバを介さずにデータを同期する技術も開示されている。
【先行技術文献】
【特許文献】
【０００８】
【特許文献１】特開２００５−２９３２０６号公報（公開日：２００５年１０月２０日）
【特許文献２】特開２００６―３０１７４６号公報（公開日：２００６年１１月  ２日）
【特許文献３】特開２００２−３１２２７３号公報（公開日：２００２年１０月２５日）
【非特許文献】
【０００９】
【非特許文献１】フリー百科事典〔ウィキペディア〕、Ｍｉｃｒｏｓｏｆｔ  ＡｃｔｉｖｅＳｙｎｃ、〔ｏｎｌｉｎｅ〕、〔平成２１年３月１０日検索〕、インターネット<ＵＲＬ:http://ja.wikipedia.org/wiki/Microsoft_ActiveSync>
【発明の概要】
【発明が解決しようとする課題】
【００１０】
しかしながら、特許文献１〜３に記載の技術においては以下のような問題がある。すなわち、様々なコンテンツを多種多様な端末において再生するようになると、ユーザ自身もどのコンテンツをどの端末において視聴したかを把握することが困難となる。このため、コンテンツを再生して確認することなく、該コンテンツを視聴したか否かを把握したいという要求がユーザにある。
【００１１】
特許文献１に記載の技術においてはブックマーク情報は共有できるが、どのコンテンツを視聴したか否かの情報を共有することはできない。
【００１２】
同様に、特許文献２および３に記載の技術においても、ＵＲＬ情報またはブックマークリストについての情報は共有できるが、コンテンツを視聴したか否かの情報を共有することはできない。
【００１３】
さらに、特許文献１のように携帯情報端末から同期要求をサーバ装置に送信する技術においては、携帯情報端末およびサーバ装置各々をネットワークに接続する必要がある。したがって、アカウントによってクライアントを識別することが不要な場合においてもネットワークに接続する必要があり、装置の構成における制約が大きくなる。なお、クライアントを識別することが不要な場合としては、携帯情報端末とサーバ装置との間が近距離であり、情報を同期する対象が自明である場合などが考えられる。
【００１４】
非特許文献１には、サーバを介さずにデータを同期する技術が開示されている。しかしながら、この技術は単なるファイル同期であり、コンテンツを視聴したか否かの情報を同期することはできない。
【００１５】
本発明は上記の問題に鑑みてなされたものであり、その目的は、サーバにネットワーク接続する必要なく、コンテンツの視聴状況を表す視聴情報を端末間において共有できるコンテンツ再生システム、コンテンツ再生方法、プログラム、および、記録媒体を提供することにある。
【課題を解決するための手段】
【００１６】
上記課題を解決するために、本発明に係るコンテンツ再生システムは、コンテンツを再生する携帯端末と、上記携帯端末と互いに通信する表示端末とを備えるコンテンツ再生システムにおいて、上記携帯端末は、上記表示端末に上記コンテンツの情報を送信するコンテンツ情報送信手段を備えており、上記表示端末は、上記コンテンツの情報を受信するコンテンツ情報受信手段と、上記コンテンツの情報に基づいて、上記コンテンツを取得するコンテンツ取得手段と、上記コンテンツの視聴状況を表す視聴情報を上記携帯端末に送信する視聴情報送信手段と、を備えていることを特徴としている。
【００１７】
上記の構成によれば、上記携帯端末は、上記表示端末に上記コンテンツの情報を送信する。上記表示端末は上記コンテンツの情報を受信し、上記コンテンツの情報に基づいて上記コンテンツを取得し、上記コンテンツの視聴状況を表す視聴情報を上記携帯端末に送信する。このため、上記携帯端末と上記表示端末とにおいて、上記視聴情報を共有できる。また、上記表示端末が上記携帯端末に上記視聴情報を送信するため、上記視聴情報を同期するためにサーバにネットワーク接続する必要がないという効果を奏する。
【００１８】
上記課題を解決するために、本発明に係るコンテンツ再生方法は、コンテンツを再生する携帯端末と、上記携帯端末と互いに通信する表示端末とを備えるコンテンツ再生システムにおけるコンテンツ再生方法であって、上記携帯端末が、上記表示端末に上記コンテンツの情報を送信するステップと、上記表示端末が、上記コンテンツの情報を受信するステップと、上記表示端末が、上記コンテンツの情報に基づいて、上記コンテンツを取得するステップと、上記表示端末が、上記コンテンツの視聴状況を表す視聴情報を上記携帯端末に送信するステップと、を含んでいることを特徴としているコンテンツ再生方法。
【００１９】
上記の構成によれば、本発明に係るコンテンツ再生システムと同様の作用効果を奏する。
【００２０】
本発明に係るコンテンツ再生システムの上記携帯端末は、上記視聴情報を受信する視聴情報受信手段と、上記視聴情報によって表される上記視聴状況を表示する視聴状況表示手段とをさらに備えていることが好ましい。
【００２１】
上記の構成によれば、上記携帯端末は上記視聴情報を受信し、上記視聴情報によって表される上記視聴状況を表示できる。上記視聴状況は上記携帯端末に表示されるため、ユーザは容易に上記コンテンツの視聴状況を把握できるという更なる効果を奏する。
【００２２】
本発明に係るコンテンツ再生システムの上記視聴情報は、上記コンテンツが視聴済であるか、未視聴であるか、または一部視聴済みであるかの何れかの視聴状況を表すことが好ましい。
【００２３】
上記の構成によれば、上記携帯端末は、上記コンテンツが視聴済であるか、未視聴であるか、または一部視聴済みであるかの何れかの視聴状況を表示する。したがって、ユーザは上記コンテンツをどの程度視聴したかを把握することができる。これにより、ユーザは視聴済のコンテンツを削除したり、未視聴のコンテンツを優先的に視聴することができるという更なる効果を奏する。
【００２４】
本発明に係るコンテンツ再生システムの上記視聴情報は、該視聴情報に対応する上記コンテンツが上記表示端末において再生されたか否かの情報をさらに含んでいることが好ましい。
【００２５】
上記の構成によれば、上記携帯端末は上記コンテンツが上記表示端末において再生されたか否かを表示する。これにより、ユーザは上記コンテンツが上記表示端末において再生されたか否かを把握できる。したがって、ユーザは、上記表示端末において再生されていないコンテンツを優先的に上記表示端末において視聴することができるという更なる効果を奏する。
【００２６】
本発明に係るコンテンツ再生システムの上記コンテンツ情報送信手段は、上記携帯端末において未再生または再生途中の複数のコンテンツの情報を、表示端末に送信し、上記表示端末は、上記複数のコンテンツの情報を表示するコンテンツ情報表示手段と、上記表示された複数のコンテンツの情報から、ユーザによる選択を受け付ける選択手段とをさらに備え、上記取得手段は、上記選択されたコンテンツの情報に対応する上記コンテンツを取得することが好ましい。
【００２７】
上記の構成によれば、上記コンテンツ情報送信手段は、上記携帯端末において未再生または再生途中の複数のコンテンツの情報を表示端末に送信する。上記表示端末は、上記複数のコンテンツの情報を表示する。これにより、ユーザは、上記携帯端末において未再生または再生途中の上記コンテンツの見逃しを防止できる。また、上記表示端末は、上記表示された複数のコンテンツの情報から、上記ユーザに選択されたコンテンツの情報に対応する上記コンテンツを取得する。このため、ユーザは未再生または再生途中のコンテンツのうちの所望のコンテンツを視聴できるという更なる効果を奏する。
【００２８】
本発明に係るコンテンツ再生システムは上記携帯端末を複数備えており、上記表示端末は、上記各携帯端末に上記コンテンツの視聴状況を表す共通の視聴情報を送信することが好ましい。
【００２９】
上記の構成によれば、上記コンテンツ再生システムは上記携帯端末を複数備えている。また、上記表示端末は、上記各携帯端末に上記コンテンツの視聴状況を表す共通の視聴情報を送信する。したがって、上記複数の携帯端末間において、コンテンツについての視聴情報を共有できるという更なる効果を奏する。
【００３０】
なお、上記コンテンツ再生システムは、コンピュータによって実現してもよい。この場合、コンピュータを上記各手段として動作させることにより上記コンテンツ再生システムをコンピュータにおいて実現するプログラム、およびそのプログラムを記録したコンピュータ読み取り可能な記録媒体も、本発明の範疇に入る。
【発明の効果】
【００３１】
本発明に係るコンテンツ再生システムは、以上のように、コンテンツを再生する携帯端末と、上記携帯端末と互いに通信する表示端末とを備えるコンテンツ再生システムにおいて、上記携帯端末は、上記表示端末に上記コンテンツの情報を送信するコンテンツ情報送信手段を備えており、上記表示端末は、上記コンテンツの情報を受信するコンテンツ情報受信手段と、上記コンテンツの情報に基づいて、上記コンテンツを取得するコンテンツ取得手段と、上記コンテンツの視聴状況を表す視聴情報を上記携帯端末に送信する視聴情報送信手段と、を備えている。したがって、上記コンテンツ再生システムは、サーバにネットワーク接続しなくとも、上記表示端末と上記携帯端末間において上記コンテンツの視聴状況を表す視聴情報を共有できる。
【００３２】
また、本発明に係るコンテンツ再生方法は、以上のように、コンテンツを再生する携帯端末と、上記携帯端末と互いに通信する表示端末とを備えるコンテンツ再生システムにおけるコンテンツ再生方法であって、上記携帯端末が、上記表示端末に上記コンテンツの情報を送信するステップと、上記表示端末が、上記コンテンツの情報を受信するステップと、上記表示端末が、上記コンテンツの情報に基づいて、上記コンテンツを取得するステップと、上記表示端末が、上記コンテンツの視聴状況を表す視聴情報を上記携帯端末に送信するステップと、を含んでいる。したがって、上記コンテンツ再生方法は、サーバにネットワーク接続しなくとも、上記表示端末と上記携帯端末間において上記コンテンツの視聴状況を表す視聴情報を共有できる。
【図面の簡単な説明】
【００３３】
【図１】図１は、本発明の実施形態を示すものであり、コンテンツ再生システムの要部構成を示すブロック図である。
【図２】図２は、本発明の実施形態を示すものであり、コンテンツ再生システムにおける処理の流れを示すシーケンス図である。
【図３】図３は、本発明の実施形態を示すものであり、視聴予約する際の携帯電話の表示画面を示す図である。
【図４】図４は、本発明の実施形態を示すものであり、携帯電話とテレビとの間において送受信する情報を示す図である。
【図５】図５は、本発明の実施形態を示すものであり、コンテンツのリンク情報を受信する際のテレビの表示画面を示す図である。
【図６】図６は、本発明の実施形態を示すものであり、コンテンツ再生中における携帯電話の表示画面を示す図である。
【発明を実施するための形態】
【００３４】
本発明のいくつかの実施形態について、図面に基づいて説明すれば以下のとおりである。
【００３５】
（コンテンツ再生システム１の構成）
まず、本実施形態に係るコンテンツ再生システム１の構成について、図１を参照して説明する。図１は、コンテンツ再生システム１の要部構成を示すブロック図である。図１に示すように、コンテンツ再生システム１は、携帯電話２、テレビ３、およびサーバ４を備えている。携帯電話２とテレビ３とは、Ｂｌｕｅｔｏｏｔｈ（登録商標）などの短距離通信手段によって互いに通信する。また、テレビ３とサーバ４とはインターネットを介して接続されている。
【００３６】
（携帯電話２）
携帯電話２は、表示部２１、入力部２２、コンテンツ取得部２３、コンテンツ記憶部２４、視聴予約追加更新部２５、視聴予約記憶部２６、通信部２７、およびテレビ検知部２８を備えている。各部材の詳細については後述する。なお、携帯電話２は、例えば電子辞書端末といった携帯端末であってもよい。
【００３７】
（テレビ３）
テレビ３は、表示部３１、入力部３２、コンテンツ取得部３３、視聴予約追加更新部３５、視聴予約記憶部３６、通信部３７、および携帯電話検知部３８を備えている。各部材の詳細については後述する。なお、テレビ３は、例えば据え置き型テレビである。
【００３８】
（サーバ４）
サーバ４は、通信部４１、コンテンツ取得部４２、およびコンテンツ記憶部４３を備えている。各部材の詳細については後述する。
【００３９】
（コンテンツ再生システム１の概要）
コンテンツ再生システム１は、携帯電話２からテレビ３に送信されたコンテンツの情報に基づいて、テレビ３がコンテンツを取得し、該コンテンツの視聴状況（視聴済、未視聴、または途中まで視聴の何れか）を表す情報（視聴情報）を、テレビ３が携帯電話２に送信する。続いて、携帯電話２は上記視聴情報によって表される視聴状況を表示部２１に表示する。これにより、ユーザは、コンテンツの視聴状況を把握することができる。
【００４０】
（コンテンツ再生システム１における処理の一例）
次に、コンテンツ再生システム１における処理の一例について、図２を参照して以下に説明する。図２は、コンテンツ再生システム１における処理の流れを示すシーケンス図である。
【００４１】
まず、ユーザは携帯電話２を携帯して外出する。ユーザは、外出中に入力部２２を介してコンテンツ記憶部２４に記憶されているコンテンツの中から所望のコンテンツを選択する。ユーザが所望のコンテンツを選択すると、コンテンツ取得部２３がコンテンツ記憶部２４に記憶されている上記コンテンツを表示部２１に再生する。これにより、ユーザは様々なコンテンツを携帯電話２の表示部２１に再生することができる（ステップＳ１）。また、携帯端末が電子辞書である場合には、ユーザが入力した検索ワードに基づいて選択されたコンテンツを再生してもよい。
【００４２】
表示部２１におけるコンテンツ再生中に、ユーザが上記コンテンツを、表示部２１よりもサイズが大きいテレビ３の表示部３１において後で視聴したいとする。この場合には上記コンテンツの視聴予約をする（ステップＳ２）。この視聴予約を図３を参照して説明する。図３は、視聴予約する際の携帯電話２の表示画面を示す図である。なお、図３に示すコンテンツは学生用の百科事典であり、炎色反応という化学用語についての説明が表示されている。炎色反応は、金属が鮮やかな光彩で発光する現象である。このため、テレビ３の大画面において視聴することによって、その輝きをより身近に感じることができる。したがって、ユーザはこのコンテンツをテレビ３において視聴したいとする。
【００４３】
この場合には、図３（ａ）に示すように、ユーザは携帯電話２に表示されているコンテンツについて「後でテレビで見る」という選択項目を入力部２２を介して選択する。ユーザが「後でテレビで見る」という選択項目を選択すると、図３（ｂ）に示すように、携帯電話２は「視聴予約しました」と表示する。続いて、図３（ｃ）に示すように、携帯電話２は「視聴予約済」と表示する。携帯電話２が上記コンテンツの視聴予約を完了すると、該コンテンツは視聴予約記憶部２６に記憶される。
【００４４】
このように、視聴予約するコンテンツはユーザが選択できる。また、携帯電話２に記憶されているコンテンツのうち、テレビ３において再生可能なコンテンツであって、かつ携帯電話２において未再生または再生途中のコンテンツ全てを視聴予約するようにしてもよい。この場合には、携帯電話２の視聴予約記憶部２６が記憶しているコンテンツごとの視聴情報に基づいてコンテンツが選択される。
【００４５】
次に、携帯電話２とテレビ３との通信について、図４を参照して説明する。図４（ａ）は、携帯電話２からテレビ３に送信するリンク情報を示す図であり、図４（ｂ）はテレビ３から携帯電話２に送信する視聴情報を示す図である。
【００４６】
ユーザは外出先から戻ると、携帯電話２をテレビ３に近づける。このときに、携帯電話２のテレビ検知部２８がテレビ３を検知する（ステップＳ３）。また、テレビ３の携帯電話検知部３８が携帯電話２を検知する（ステップＳ４）。これにより、携帯電話２とテレビ３との通信が確立する。
【００４７】
次に、携帯電話２の視聴予約記憶部２６は、図４（ａ）に示すように、視聴予約されている複数のコンテンツについて、コンテンツごとのリンク情報を、通信部３７を介してテレビ３に送信する（ステップＳ５）。この際には、コンテンツそのものではなく、該コンテンツの保存場所についての情報であるリンク情報を携帯電話２はテレビ３に送信する。リンク情報は例えばＵＲＩなどである。本実施形態においては、視聴予約されたコンテンツの保存場所を特定したＵＲＬを送信する。このリンク情報は、携帯電話２の画面上において、プラウザのハイパーリンクのように表示される。
【００４８】
リンク情報には、携帯電話２またはテレビ３において再生可能であるかを特定する情報が含まれている。これにより、携帯電話２は、携帯電話２においては再生できないが、テレビ３においては再生可能であるコンテンツをユーザに示唆することができる。したがって、ユーザはテレビ３において再生できるコンテンツを把握し、該コンテンツを視聴することができる。
【００４９】
また、携帯電話２は、テレビ３において再生できないコンテンツを、ユーザによる視聴予約の対象となる画面に予め表示しないようにすることもできる。これにより、ユーザがテレビ３において再生できないコンテンツを無駄に視聴予約することを防止できる。
【００５０】
図４（ａ）に示すように、コンテンツ炎色反応についてはリンク情報としてＵＲＬＡが送信される。同様に、コンテンツ皆既日食についてはリンク情報としてＵＲＬＢが送信され、コンテンツ毛細管現象についてはリンク情報としてＵＲＬＣが送信され、コンテンツ７色スペクトルについてはリンク情報としてＵＲＬＤが送信される。なお、図４（ｂ）については、後述するテレビ３から携帯電話２への視聴情報の送信についての説明において参照する。
【００５１】
次に、上記コンテンツのリンク情報を受信した際におけるテレビ３の処理について、図５を参照して説明する。図５は、コンテンツのリンク情報を受信する際のテレビ３の表示画面を示す図である。
【００５２】
まず、テレビ３は通信部３７を介して視聴予約されたコンテンツのリンク情報を受信する（ステップＳ６）。このリンク情報は、視聴予約記憶部３６に記憶される。この段階においては、図５（ａ）に示すように、テレビ３の表示画面にリンク情報は表示されない。次に、テレビ３は、上記コンテンツのリンク情報を、図５（ｂ）に示すように、表示部３１に表示する（ステップＳ７）。
【００５３】
次に、ユーザは、図５（ｂ）に示す上記コンテンツのリンク情報の中から１つのコンテンツのリンク情報をテレビ３の入力部３２を介して選択する（ステップＳ８）。上記コンテンツのリンク情報の入力を受け付けると、テレビ３のコンテンツ取得部３３は通信部３７を介してサーバ４に該コンテンツのリンク情報を送信する。換言すれば、コンテンツ取得要求を送信する（ステップＳ９）。サーバ４は、通信部４１を介して上記コンテンツ取得要求を受信する（ステップＳ１０）。次に、サーバ４のコンテンツ取得部４２は、上記取得要求されたコンテンツのリンク情報に含まれるＵＲＬによって特定されるコンテンツを取得する。コンテンツ記憶部４３は該コンテンツを記憶する。なお、本実施形態においては、サーバからコンテンツを取得しているが、本発明はこれに限定されない。コンテンツはサーバ以外の手段により取得してもよい。すなわち、本発明は視聴情報を表示端末において管理しており、かつ視聴情報を表示端末から携帯端末に送信するため、視聴情報をサーバを経由して同期する必要がない。このため、全ての端末をサーバにネットワーク接続させる必要がない。したがって、コンテンツ再生システムの構成が簡単になる。
【００５４】
次に、コンテンツ取得部４２は、取得したコンテンツを通信部４１を介してテレビ３に送信する（ステップＳ１１）。テレビ３は通信部３７を介して上記コンテンツを受信し、コンテンツ取得部３３は上記コンテンツを取得する（ステップＳ１２）。次に、コンテンツ取得部３３は、上記コンテンツを図５（ｃ）に示すように、テレビ３の表示部３１に再生する（ステップＳ１３）。上記コンテンツが再生されると、テレビ３の視聴予約追加更新部３５は「コンテンツの視聴が開始された」を表す情報を、視聴予約記憶部３６に追加する。
【００５５】
その後、ユーザが上記コンテンツを最後まで視聴した場合には、視聴予約追加更新部３５は、視聴予約記憶部３６における上記コンテンツについての視聴情報を「視聴済」を表す視聴情報に更新する。一方、ユーザが上記コンテンツの再生途中に再生を停止した場合には、視聴予約追加更新部３５は、視聴予約記憶部３６における上記コンテンツについての視聴情報を「一部視聴」を表す視聴情報に更新する。一部視聴の場合には、該コンテンツを開始時点からどのくらいの時間再生したかを表す情報が視聴情報に追加される。また、テレビ３の入力部３２を介してユーザに選択されなかったコンテンツの視聴情報は、「視聴予約済」を表す視聴情報のままとなる。なお、視聴予約済はテレビ３において未視聴という意味である。
【００５６】
また、携帯電話２とテレビ３との表示画面の大きさの違いによって、再生されるコンテンツの見え方が異なる。つまり、携帯電話２の画面よりも大きい画面であるテレビ３の画面において視聴することによって、ユーザには携帯電話２の画面とは違った見え方となる。このため、テレビ３において再生されたか、という情報もユーザに要求される。したがって、「視聴済」および「一部視聴」の場合には、テレビ３で再生されたか否かを表す情報も視聴情報に追加される。また、詳しくは後述するが、「一部視聴」の場合には、どの程度の長さ再生されたかを表す情報も視聴情報に追加される。
【００５７】
次に、テレビ３は、視聴予約記憶部３６に記憶されているコンテンツの視聴情報を、通信部３７を介して携帯電話２に送信する（ステップＳ１４）。上記視聴情報を図４（ｂ）を参照して説明する。図４（ｂ）に示すコンテンツ炎色反応は、開始時点から４分５９秒再生されたため、「４：５９まで視聴済」を表す視聴情報が送信される。コンテンツ皆既日食は最後まで再生されたため、「視聴済」を表す視聴情報が送信される。次に、携帯電話２は、通信部２７を介して上記コンテンツの視聴情報を受信する（ステップＳ１５）。次に携帯電話２は、上記視聴情報に基づいて、視聴予約記憶部３６に記憶されている上記コンテンツのリンク情報を更新する（ステップＳ１６）。
【００５８】
これにより、上記視聴情報は携帯電話２において管理される。このため、テレビ３が上記視聴情報を携帯電話２に送信後、ユーザは視聴予約記憶部３６が記憶している上記視聴情報を削除してもよい。これにより、テレビ３の不揮発性の保存領域に上記視聴情報を保存する必要がない。したがって、テレビ３の保存領域を他の用途に活用することができる。
【００５９】
次に、ユーザは携帯電話２を携帯して再び外出し、様々なコンテンツを携帯電話２の表示部２１に再生する（ステップＳ１７）。再生中のコンテンツにおける携帯電話２の表示について図６を参照して説明する。図６は、コンテンツ再生中における携帯電話２の表示画面を示す図である。
【００６０】
携帯電話２において再生中のコンテンツが視聴予約はされたが、テレビ３において再生されていない場合には、図６（ａ）に示すように、携帯電話２は表示部２１に「視聴予約済」と表示する。この際には、携帯電話２は上記「視聴予約済」を表す視聴情報を処理することによって得られる視聴状況である「視聴予約済」を表示部２１に表示する。以下に説明する「視聴済」および「一部視聴」の場合も同様に、携帯電話２は視聴状況を表す視聴情報を処理することによって得られる視聴状況を表示部２１に表示する。
【００６１】
携帯電話２において再生中のコンテンツがテレビ３において最後まで再生された場合には、図６（ｂ）に示すように、携帯電話２は表示部２１に「テレビで視聴済」と表示する。「テレビで視聴済」の場合には、テレビ３において視聴されたか否かの情報も携帯電話２は処理して表示する。また、これにより、ユーザは視聴済の上記コンテンツを携帯電話２のコンテンツ記憶部２４から削除できる。
【００６２】
携帯電話２において再生中のコンテンツがテレビ３において一部視聴、例えば上記コンテンツが開始時点から４分５９秒再生された場合には、図６（ｃ）に示すように、携帯電話２は表示部２１に「テレビで４：５９まで視聴済」と表示する。このように、「一部視聴」の場合には、テレビ３において視聴されたか否かの情報と、コンテンツが開始時点からどの程度の長さ再生されたかの情報とを携帯電話２は処理して表示する。
【００６３】
また、１つのテレビ３に対応する携帯電話２は複数あってもよい。この場合には、テレビ３は、コンテンツごとに共通の視聴情報を携帯電話２各々に送信する。これにより、複数のユーザが携帯する複数の携帯電話２の間で視聴情報によって表される視聴状況を共有することができる。
【００６４】
以上のように、コンテンツ再生システム１は、コンテンツの視聴情報によって表される視聴状況を表示する。これにより、ユーザは上記コンテンツに関する視聴状況を容易に把握することができる。また、サーバにネットワーク接続する必要なく、上記コンテンツの視聴状況を複数の端末間において共有することができる。
【００６５】
（プログラムおよび記憶媒体）
最後に、コンテンツ再生システム１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００６６】
すなわちコンテンツ再生システム１は、各機能を実現する制御プログラムのプログラムコード（実行形式プログラム、中間コードプログラム、ソースプログラム）をコンピュータで読み取り可能に記録していればよい。コンテンツ再生システム１（またはＣＰＵやＭＰＵ）が、供給された記録媒体に記録されているプログラムコードを読み出し、実行すればよい。
【００６７】
プログラムコードをコンテンツ再生システム１に供給する記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００６８】
またコンテンツ再生システム１は、通信ネットワークと接続可能に構成しても、本発明の目的を達成できる。この場合、上記のプログラムコードを、通信ネットワークを介してコンテンツ再生システム１に供給する。この通信ネットワークは、コンテンツ再生システム１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、移動体通信網、衛星通信網等であればよい。
【００６９】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００７０】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７１】
本発明は、例えば、以下のように表現することもできる。
【００７２】
１．第二の端末（携帯端末）からリンク情報を受信する受信部。
【００７３】
２．リンク先のコンテンツを取得するコンテンツ取得部。
【００７４】
３．取得したコンテンツを表示するコンテンツ表示部。
【００７５】
４．選択されたリンク情報を第二の端末に送信する送信部。
【００７６】
５．（複数の）リンク情報を表示するリンク情報表示部。
【００７７】
６．ユーザのリンク情報の選択結果を処理するユーザ選択処理部。
【００７８】
７．コンテンツ取得部はユーザが選択したリンク先のコンテンツを取得する。
【００７９】
８．視聴済のものは、リンク表示の見せ方を変える。
【産業上の利用可能性】
【００８０】
本発明のコンテンツ再生システムは、コンテンツの視聴状況を提供するコンテンツ再生システム一般において広く適用できる。
【符号の説明】
【００８１】
１      コンテンツ再生システム
２      携帯電話（携帯端末）
３      テレビ（表示端末）
４      サーバ
２１    表示部（視聴状況表示手段）
２２    入力部
２３    コンテンツ取得部
２４    コンテンツ記憶部
２５    視聴予約追加更新部
２６    視聴予約記憶部
２７    通信部（コンテンツ情報送信手段、視聴情報受信手段）
３１    表示部（コンテンツ情報表示手段）
３２    入力部（選択手段）
３３    コンテンツ取得部（コンテンツ取得手段）
３５    視聴予約追加更新部
３６    視聴予約記憶部
３７    通信部（コンテンツ情報受信手段、視聴情報送信手段）
【図１】
2010226521.tif 000003
【図２】
2010226521.tif 000004
【図３】
2010226521.tif 000005
【図４】
2010226521.tif 000006
【図５】
2010226521.tif 000007
【図６】
2010226521.tif 000008